(57)【特許請求の範囲】
【請求項１】
液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備え、前記固定板は、前記給電部の端部を収容する固定穴とその周縁の係止部とを設け、前記給電部はその端部の固定穴への収容時に前記係止部に係止される突起部を設けて前記固定板に前記給電部を取付けた電気湯沸かし器。
【請求項２】
液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備え、前記給電部は、端部に係止部を設け、前記固定板は前記係止部と略同形状の固定穴を設け、前記係止部を固定穴に挿入し回転させて前記給電部を前記固定板に取付けた電気湯沸かし器。
【請求項３】
液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備え、前記固定板は、前記給電部の端部を収容する収容部を設け、前記給電部はその端部を前記収納部へ収容し他端部を前記外郭で抑えて挟持し、前記給電部を前記固定板に取付けた電気湯沸かし器。
【請求項４】
液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備え、前記固定板と前記給電部の一方に、一対の垂直に伸びる溝部を設け、他方には前記溝部を摺動する摺動部を設け、前記溝部に前記摺動部を摺動させるとともに前記給電部の端部を前記外郭で抑えて、前記給電部を前記固定板に取付けた電気湯沸かし器。
【請求項５】
液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備え、前記固定板と前記給電部の一方に、略水平方向にスライド溝を設け、他方には前記スライド溝を摺動するスライド部を設け、前記スライド部を前記スライド溝に収容するとともに前記外郭の一部でスライド部のスライド溝からの離脱を防止し、前記給電部を前記固定板に取付けた電気湯沸かし器。
【請求項６】
スライド溝の一方にストッパーを他方に入り口を設け、スライド部をストッパーと外郭とで挟持した請求項５に記載の電気湯沸かし器。
【請求項７】
スライド溝を外郭の外方から内部に向かう方向とした請求項５または６に記載の電気湯沸かし器。
【請求項８】
スライド溝を外郭の表面と略平行に設けた請求項５または６に記載の電気湯沸かし器。
【請求項９】
液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備え、前記固定板に設けた、前記容器と前記外郭とを固定する取付金具を介し、前記給電部を前記固定板に取付けた電気湯沸かし器。
【発明の詳細な説明】
【０００１】
【発明の属する技術分野】
本発明は主として一般家庭または事務所等で使用される電気湯沸かし器に関するものである。
【０００２】
【従来の技術】
従来この種の電気湯沸かし器において、液体を収容する容器とこれを内蔵する外郭との組み立て、各機能部品および電子部品との配線等は、図１５に示すようにして行っている。
【０００３】
すなわち、容器１００を上下反対にしてその底部に固定板１０１を取付け、揚水用の遠心ポンプ１０２、制御基板１０３、ターミナル陶器１０４、温度検知素子１０５、温度ヒューズ１０６等を組み付ける。固定板１０１は容器１００または取付金具１０７にねじ止めされる。遠心ポンプ１０２は固定板１０１にねじ止めされる。制御基板１０３は基板ボックス１０８に収納されて固定板１０１に係止される。ターミナル陶器１０４は固定板１０１にねじ止めされる。温度検知素子１０５は固定板１０１中央の素子取付穴１０９に一端が係止され他端はねじ止めされて固定される。温度検知素子１０５は容器１００底部に感熱的に取り付けられることとなる。温度ヒューズ１０６は固定板１０１の一部と容器１００底部とで挟持される。各部品の電気的結線は制御基板１０３を中心に結線されるが、温度ヒューズ１０６と制御基板１０３からは給電部１１０へ結線して、図１６に示すように、給電部１１０を介してマグネット着脱式プラグ１１１から給電されることとなる。
【０００４】
なお、給電部１１０は電極１１５および吸着板１１６を有し、マグネット着脱式プラグ１１１は電極１１５と接触する給電端子１１８および吸着板１１６に磁気的に吸着する磁石部１１９を有し、マグネット着脱式プラグ１１１が給電部１１０に着脱自在に装着される。
【０００５】
ここで、給電部１１０は、組立時には、予め外郭１１２にねじ１１３で固定されていて、外郭１１２を容器１００にかぶせてから温度ヒューズ１０６と制御基板１０３とからの電線１１４を給電部１１０に結線する。従って、容器１００側の制御基板１０３を中心に組立てていた電線１１４を一度手から離して、外郭１１２をかぶせて改めて電線１１４を給電部１１０に結線するものであった。
【０００６】
【発明が解決しようとする課題】
このように、従来の構成では、外郭１１２を組み立てる前に電気接続を集中して組み立てることができずに、外郭１１２に取り付ける給電部１１０への結線を外郭１１２の組み立て時か、組み立て後か、または一度結線を中止して外郭１１２を組み付けて再び結線するしかないといった課題があった。
【０００７】
本発明は、上記従来の課題を解決するもので、外郭を組み付ける前に結線を完了することができ、作業性のよい電気湯沸かし器を提供することを目的とする。
【０００８】
【課題を解決するための手段】
上記目的を達成するために、本発明の電気湯沸かし器は、液体を収容する容器底部に備えられ各機能部品および電子部品を取り付けた固定板に、各機能部品および電子部品と結線された給電部を取付けて外郭を組み付けるようにしたものである。
【０００９】
これにより、外郭を組み付ける前に結線はすべて完了することができ、作業性のよい電気湯沸かし器を得ることができる。
【００１０】
【発明の実施の形態】
請求項１に記載の発明は、液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備えた電気湯沸かし器とすることにより、外郭を組み付ける前に、各機能部品、電子部品および給電部の結線は完了することができるので、外郭を組み付けの作業性がよい。
【００１１】
さらに、固定板は、給電部の端部を収容する固定穴とその周縁の係止部とを設け、給電部はその端部の固定穴への収容時に前記係止部に係止される突起部を設けて固定板に給電部を取付けた電気湯沸かし器とすることにより、固定板への給電部の取付けが、給電部の端部の固定穴への差しこみ操作で容易に行えるとともに、外郭を組み付ける前に結線を完了することができる。
【００１２】
請求項２に記載の発明は、給電部は、端部に係止部を設け、固定板は前記係止部と略同形状の固定穴を設け、前記係止部を固定穴に挿入し回転させて給電部を固定板に取付けた電気湯沸かし器とすることにより、固定板への給電部の取付けが、給電部の係止部を固定穴に挿入し回転させる操作で容易に行えるとともに、外郭を組み付ける前に結線を完了することができる。
【００１３】
請求項３に記載の発明は、固定板は、給電部の端部を収容する収容部を設け、給電部はその端部を収納部へ収容し他端部を外郭で抑えて挟持し、給電部を固定板に取付けた電気湯沸かし器とすることにより、固定板への給電部の取付けが、外郭で抑えることで容易に行えるとともに、外郭を組み付ける前に結線を完了することができる。
【００１４】
請求項４に記載の発明は、固定板と給電部の一方に、一対の垂直に伸びる溝部を設け、他方には前記溝部を摺動する摺動部を設け、前記溝部に摺動部を摺動させるとともに給電部の端部を外郭で抑えて、給電部を固定板に取付けた電気湯沸かし器とすることにより、固定板への給電部の取付けが、溝部に摺動部を摺動させるとともに給電部の端部を外郭で抑えて容易に行えるとともに、外郭を組み付ける前に結線を完了することができる。
【００１５】
請求項５に記載の発明は、固定板と給電部の一方に、略水平方向にスライド溝を設け、他方には前記スライド溝を摺動するスライド部を設け、前記スライド部をスライド溝に収容するとともに外郭の一部でスライド部のスライド溝からの離脱を防止し、給電部を固定板に取付けた電気湯沸かし器とすることにより、固定板への給電部の取付けが、スライド部をスライド溝に収容するとともに外郭の一部でスライド部の離脱を防止して容易に行えるとともに、外郭を組み付ける前に結線を完了することができる。
【００１６】
請求項６に記載の発明は、スライド溝の一方にストッパーを他方に入り口を設け、スライド部をストッパーと外郭とで挟持した請求項５に記載の電気湯沸かし器とすることにより、固定板への給電部の取付けが、スライド部をストッパーと外郭とで挟持することにより容易に行えるとともに、外郭を組み付ける前に結線を完了することができる。
【００１７】
請求項７に記載の発明は、スライド溝を外郭の外方から内部に向かう方向とした請求項５または６に記載の電気湯沸かし器とすることにより、固定板への給電部の取付けが、外郭側から容易に行えるとともに、外郭を組み付ける前に結線を完了することができる。
【００１８】
請求項８に記載の発明は、スライド溝を外郭の表面と略平行に設けた請求項５または６に記載の電気湯沸かし器とすることにより、固定板への給電部の取付けが、外郭の表面と略平行方向から容易に行えるとともに、外郭を組み付ける前に結線を完了することができる。
【００１９】
請求項９に記載の発明は、固定板に設けた、容器と外郭とを固定する取付金具を介し、給電部を固定板に取付けた電気湯沸かし器とすることにより、固定板への給電部の取付けが部品点数を一層削減して行えるとともに、外郭を組み付ける前に結線を完了することができる。
【００２０】
【実施例】
以下本発明の実施例について、図面を参照しながら説明する。
【００２１】
（実施例１）
図１〜図３は本発明の実施例１における電器湯沸かし器を示すものである。
【００２２】
図において、１は液体を収容する容器であり、図２、図３では組み立て途中を示しており上下を逆にして描いている。２は容器１底部に備えられた溶融亜鉛鍍金鋼板よりなる固定板であり、遠心ポンプ３、ターミナル陶器４、基板ボックス５、および給電部１３（詳細は後記）等の機能部品および電子部品を取り付けている。基板ボックス５は制御基板６を収納している。７は容器１の底部に備えられた、加熱手段であるヒータ８の端子である。ヒータ８や遠心ポンプ３への給電は制御基板６から行うために、制御基板６と各部品を電線９で結線するが、制御基板６への商用電源の供給はマグネット着脱式プラグ１０から行う。
【００２３】
マグネット着脱式プラグ１０はそのケースが熱硬化性樹脂で形成されており、ここでは図示していないが、図１６の従来の構成と同様、一対の給電端子と給電端子の間に磁石部を備えているものである。１１はマグネット着脱式プラグ１０の電源プラグ、１２は電源コードである。
【００２４】
図３に示すように、給電部１３は、フェノール樹脂等で形成された絶縁部１４と、絶縁部１４にインサート成型した、マグネット着脱式プラグ１０の給電端子と当接する一対の電極１５と、絶縁部１４にかしめて取り付けられ、マグネット着脱式プラグ１０の磁石部が吸着する、クロム鍍金の金属鋼板で形成された吸着板１６とを有している。
【００２５】
また、前記絶縁部１４は固定板２側の端部の一方に係止部１７を延設し、他方には取付け穴１８が設けてある。そして、給電部１３の固定板２への取付けのために、固定板２には係止部１７が係止されるルーバー部１９が設けてあり、前記取付け穴１８に対する位置にはねじ止め穴２０が加工されている。係止部１７をルーバー部１９にセットして取付け穴１８をねじ止め穴２０に合わせて止めねじ２１を施すことで絶縁部１４を固定板２に固定するものである。
【００２６】
２２は容器１を内蔵する外郭であり、機器の本体側面を構成するものである。そして、外郭２２は、容器１または固定板２に溶接等で固定された一対の取付金具２３に底板２４を一対の取付ねじ２５で取付けることにより、同時に容器１に固定されるものである。外郭２２の側面下部には、外郭２２を組み付けたときに給電部１３が臨む取付穴２６が設けてある。取付穴２６には、外部から挿入してねじ等で固定された熱硬化性樹脂製の絶縁部２７を取付けてあり、その開口部にマグネット着脱式プラグ１０からの電気を受電する電極１５およびマグネット着脱式プラグ１０の磁石部と吸着する吸着板１６が位置するものである。
【００２７】
なお、２８は容器１底部に感熱的に取り付けられる温度検知素子で、固定板２中央の素子取付穴２９に一端が係止されて他端がねじ止めされて固定板２に固定される。３０は固定板２の一部と容器１底部とで挟持され温度ヒューズで、これも固定板２に固定されているものである。３１は制御基板６を操作する操作部であり、従来から知られているように、この操作により、遠心ポンプ３が動作して容器１内から自由に湯を取出すことができる。また、ヒータ８への通電制御、温度検知素子２８による湯温検知、沸騰後の保温制御等についても従来から知られているとおりである。
【００２８】
以上のように構成された電気湯沸かし器において、組立てにおいては、制御基板６に対して、固定板２に取付けた遠心ポンプ３、温度検知素子２８、温度ヒューズ３０、ターミナル陶器４からの電線９を結線する。給電部１３も固定板２に固定しているので、給電部１３も含めて電線９の配線を終え、その後、外郭２２を容器１に被せ、取付穴２６を給電部１３の外方に位置させて組み付ける。給電部４８には温度ヒューズ３０からの電線９と制御基板６からの電線９が結線されるが、他の部品と同様に固定板２に組み付けられてから結線される。
【００２９】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。
【００３０】
（実施例２）
次に、本発明の実施例２について、図４を参照しながら説明する。実施例１と基本構成は同じであるので、相違点、すなわち給電部の固定板への取付け構成についてのみ説明する。
【００３１】
この実施例における給電部１３は、絶縁部３６と一対の電極３７、および吸着板３８を有し、絶縁部３６の長手方向の両端部には突起部３９が設けられている。絶縁部６０と電極６１と吸着板６２とで給電部６４を構成している。一方、固定板２は、給電部１３の端部を収容する固定穴４０とその周縁の係止部４１とを設けている。給電部１３はその端部の固定穴４０への収容時に係止部４１に突起部３９が係止され、固定板２に給電部１３が取付けられる。
【００３２】
より詳細に説明すると、固定板２に設けた固定穴４０は、絶縁部３６の外径に相似形であり、給電部１３を固定穴４０に押し込むと、突起部３９が係止部４１を若干変形させながら圧入気味に通りすぎて約０．５ｍｍ程度入り込み、給電部１３は容器１の底に当たり停止する。突起部３９が係止部４１を通り過ぎた後、係止部４１はもとの形状に復帰するので突起部３９は戻ることができない。従って、給電部１３は固定板２に固定されることとなる。なお、固定穴４０にはストッパー４２があり、給電部１３がマグネット着脱式プラグ１０の装着時に外力を受けても大丈夫なようになっている。
【００３３】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、給電部１３の端部の固定穴４０への差し込み操作で容易に行える。
【００３４】
（実施例３）
次に、本発明の実施例３について、図５を参照しながら説明する。実施例１と基本構成は同じであるので、相違点、すなわち給電部の固定板への取付け構成についてのみ説明する。
【００３５】
この実施例における給電部１３は、絶縁部４３と一対の電極４４、および吸着板４５を有し、絶縁部４３の端部には円板状で２カ所に凸部４６を有する係止部４７を設けている。一方、固定板２は、係止部４７と略同形状で若干大きい固定穴４８を設けてある。また、固定板２にストッパー４９が凸状に突き出し加工して２カ所に設けられている。
【００３６】
ここで、給電部１３の端部を固定穴４８に差し込み水平方向に回転させると、係止部４７の凸部４６が弾性変形しながらストッパー４９を乗り越えて、給電部１３が固定板２に固定されることとなる。
【００３７】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、給電部１３の端部を固定穴４８へ差し込み、回転操作させることにより容易に行える。
【００３８】
（実施例４）
次に、本発明の実施例４について、図６を参照しながら説明する。実施例１と基本構成は同じであるので、相違点、すなわち給電部の固定板への取付け構成についてのみ説明する。
【００３９】
この実施例における給電部１３は、絶縁部５０と一対の電極５１、および吸着板５２を有している。一方、固定板２は、給電部１３の端部と略同形状で若干大きい寸法の収納部５３を打ち抜きまたは窪ませて設けている。また、外郭２２には、外郭２２の組み付け時に、給電部１３の収容部５３とは反対側の端部を抑えて給電部１３を容器１または固定板２との間に挟持する止めリブ５４を設けている。そして、給電部１３の固定板２への取付けは、給電部１３の端部を収納部５３へ収容し他端部を外郭２２の止めリブ５４で抑えて挟持することにより行なわれる。
【００４０】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、給電部を外郭で抑えることにより容易に行える。
【００４１】
（実施例５）
次に、本発明の実施例５について、図７を参照しながら説明する。実施例１と基本構成は同じであるので、相違点、すなわち給電部の固定板への取付け構成についてのみ説明する。
【００４２】
この実施例における給電部１３は、絶縁部５５と、端部に銀接点を有する一対の電極５６と、吸着板５７を有している。絶縁部５５の両側部には垂直に伸びる摺動部５８を一体的に形成している。
【００４３】
一方、固定板２は、給電部１３の摺動部５８が摺動する一対の垂直に伸びる溝部５９を断面が略コ字状の別部材により形成している。また、外郭２２には、外郭２２の組み付け時に、給電部１３の端部を抑えて給電部１３を固定板２との間に挟持する止めリブ６０を設けている。そして、給電部１３の固定板２への取付けは、給電部１３の摺動部５８を溝部５９に摺動させ、端部を外郭２２の止めリブ６０で抑えて挟持することにより行なわれる。
【００４４】
なお、逆に、摺動部５８を固定板２に、溝部５９を給電部１３に設けても同様な機能を発揮するものである。
【００４５】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、溝部５９に摺動部５８を摺動させるとともに給電部１３の端部を外郭２２で抑えることにより容易に行える。
【００４６】
（実施例６）
次に、本発明の実施例６について、図８を参照しながら説明する。実施例１と基本構成は同じであるので、相違点、すなわち給電部の固定板への取付け構成についてのみ説明する。
【００４７】
この実施例における給電部１３は、絶縁部６１と、一対の電極６２と、吸着板６３を有している。絶縁部６１の前後両端部には略水平方向にスライド部６４を一体的に形成している。一方、固定板２は、給電部１３のスライド部６４を収容するスライド溝６５を切り起こし片により形成している。また、スライド溝６５の一方には給電部１３のストッパー６６が固定板２より切り起こして形成されている。さらに、外郭２２には、外郭２２の組み付け時に、スライド部６４がストッパー６６と反対側の入り口６５ａから離脱することを防止する止めリブ６７を設けている。そして、給電部１３の固定板２への取付けは、給電部１３のスライド部６４を固定板２のスライド溝６５に入り口６５ａから収容するとともに、端部を外郭２２の止めリブ６７でカバーして離脱防止することにより行なわれる。この場合、スライド部６４をストッパー６６と外郭２２とで挟持するようにしてもよい。
【００４８】
なお、逆に、スライド部６４を固定板２に、スライド溝６５を給電部１３に設けても同様な機能を発揮するものである。また、スライド溝６５は、外郭２２の外方から内部に向かう方向とし、固定板２への給電部１３の取付けが、外郭２２側から容易に行えるようにすることもできる。さらに、スライド溝６５を外郭２２の表面と略平行に設け、固定板２への給電部１３の取付けが、外郭２２の表面と略平行方向から容易に行えるようにすることもできる。
【００４９】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、スライド部６４をスライド溝６５に収容するとともに外郭２２でスライド部６４の離脱を防止して容易に行える。
【００５０】
（実施例７）
次に、本発明の実施例７について、図９を参照しながら説明する。実施例１と基本構成は同じであるので、相違点、すなわち給電部の固定板への取付け構成についてのみ説明する。
【００５１】
この実施例における給電部１３は、絶縁部６８と、一対の電極６９と、吸着板７０を有している。絶縁部６８の両端部には略水平方向にスライド部７１を一体的に形成している。一方、固定板２は、給電部１３のスライド部７１を収容するスライド溝７２を、外郭２２の外方から内部に向かう方向に切り起こし片により形成している。
【００５２】
また、スライド溝７２の一方には給電部１３のストッパー７３が固定板２より切り起こして形成されている。さらに、外郭２２には、外郭２２の組み付け時に、給電部１３をストッパー７３とで挟持するように外郭２２に止めリブ７４を設けている。そして、給電部１３の固定板２への取付けは、給電部１３のスライド部７１を固定板２のスライド溝７２に入り口７２ａから収容するとともに、ストッパー７３と外郭２２の止めリブ７４とで挟持することにより行なわれる。止めリブ７４は給電部１３の端部を固定板２に抑えこむようにしても、また給電部１３の前端部をストッパー７３側に抑えるようにしてもよい。
【００５３】
なお、逆に、スライド部７１を固定板２に、スライド溝７２を給電部１３に設けても同様な機能を発揮するものである。また、スライド溝７２を外郭２２の表面と略平行に設け、固定板２への給電部１３の取付けが、外郭２２の表面と略平行方向から容易に行えるようにすることもできる。
【００５４】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、スライド部７１、スライド溝７２、ストッパー７３および外郭２２により容易に行える。
【００５５】
（実施例８）
次に、本発明の実施例８について、図１０を参照しながら説明する。実施例１と基本構成は同じであるので、相違点、すなわち給電部の固定板への取付け構成についてのみ説明する。
【００５６】
この実施例における給電部１３は、絶縁部７５と、一対の電極７６と、電極７６間の絶縁部７５に垂直方向に形成した係合部７７とを有している。一方、固定板２は、その一部に係合部７７と係合する、吸着部を兼ねるスライド部７８を垂直に切り起こして形成している。給電部１３の係合部７７は、電極７６側を開放しており、スライド部７８が係合部７７と係合するとこの開放部を通して吸着部が露出する状態となっている。さらに、外郭２２には、外郭２２の組み付け時に、給電部１３を固定板２とで挟持するように止めリブ７９を設けている。
【００５７】
そして、給電部１３の固定板２への取付けは、給電部１３の係合部７７をスライド部７８に垂直方向から係合させるとともに、止めリブ７９と固定板２とで挟持することにより行なわれる。スライド部７８は係合部７７の構成により、その吸着部が絶縁部７５から露出しているので、マグネット着脱式プラグ１０を吸着させるものである。
【００５８】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、スライド部７８と係合部７７との係合により容易に行えるとともに、マグネット着脱式プラグ１０を吸着する吸着部をスライド部７８が兼ねて部品点数を削減することができる。
【００５９】
（実施例９）
次に、本発明の実施例９について、図１１を参照しながら説明する。実施例１と基本構成は同じであるので、相違点、すなわち給電部の固定板への取付け構成についてのみ説明する。
【００６０】
この実施例における給電部１３は、絶縁部８０と、一対の電極８１と、電極８１間の絶縁部８０に垂直方向に形成した溝部８２と、絶縁部８０を横方向に貫通して設けた貫通穴よりなる係合部８３とを有している。絶縁部８０は溝部８２の形成により端面形状が凹状となっており、係合部８３はこの溝部８２で分断された状態となっている。
【００６１】
一方、固定板２は、その一部に係合部８３へ挿入し係合する、吸着部を兼ねるＬ状のスライド部８４を垂直に切り起こして形成している。給電部１３の係合部８３は、溝部８２で分断され電極８１側を開放しているため、スライド部８４が係合部８３と係合するとこの開放部を通して吸着部が露出する状態となっている。さらに、外郭２２には、外郭２２の組み付け時に、給電部１３の側部に接して給電部１３がスライド部８４から脱落しないようにして固定板２に固定する止めリブ８５を設けている。
【００６２】
そして、給電部１３の固定板２への取付けは、給電部１３の係合部８３にスライド部８４に横方向から係合させるとともに、給電部１３がスライド部８４から脱落しないように止めリブ８５で抑えることにより行なわれる。スライド部８４は係合部８３の構成により、その吸着部が絶縁部８０から露出しているので、マグネット着脱式プラグ１０を吸着させるものである。
【００６３】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、スライド部８４と係合部８３との係合により容易に行えるとともに、マグネット着脱式プラグ１０を吸着する吸着部をスライド部８４が兼ねて部品点数を削減することができる。
【００６４】
（実施例１０）
次に、本発明の実施例１０について、図１２を参照しながら説明する。実施例１、９と基本構成は同じであるので、相違点についてのみ説明する。
【００６５】
この実施例における給電部１３は、実施例９と同一構成であり、絶縁部８０と、電極８１と、溝部８２と、貫通穴よりなる係合部８３とを有している。一方、固定板２には、外郭２２と底板２４とを固定する一対の取付金具８６（図１における取付金具２３に相当）の一つに垂直方向からみてＬ状のスライド部８７を一体に形成している。スライド部８７は、係合部８３へ挿入し係合するもので、吸着部を兼ねるものである。
【００６６】
また、固定板２のスライド部８７と対向位置には、ストッパー部８８を切り起こして形成している。実施例９と同様、スライド部８４が係合部８３と係合するとスライド部８４の吸着部が露出する状態となっている。さらに、外郭２２には、外郭２２の組み付け時に、給電部１３の側部に接して給電部１３がスライド部８４から脱落しないようにして固定板２に固定する止めリブ８５を設けている。なお、取付金具８６は、固定板２へ溶接により取付けているが、ねじ止めあるいは固定板２から切り起こしにより形成してもよい。
【００６７】
そして、給電部１３の固定板２への取付けは、給電部１３の係合部８３にスライド部８４に横方向から係合させるとともに、給電部１３がスライド部８４から脱落しないように止めリブ８５で抑えることにより行なわれる。同時に、給電部１３は、スライド部８４とストッパー部８８とで前後方向に対して移動することのないように保持される。スライド部８４は係合部８３の構成により、その吸着部が絶縁部８０から露出しているので、マグネット着脱式プラグ１０を吸着させるものである。
【００６８】
以上のように、この実施例によれば、制御基板６を中心とした電線９の結線において、給電部１３への結線は他の遠心ポンプ３や温度検知素子２８等と同様に外郭２２を組み付ける前に完了するので、外郭２２を最後に組み付けることで、簡便に組立ることができる。同時に固定板２への給電部１３の取付けが、スライド部８４と係合部８３との係合および止めリブ８５、ストッパー部８８の作用により容易に行えるとともに、マグネット着脱式プラグ１０を吸着する吸着部を取付金具８６に形成したスライド部８４が兼ねているため、部品点数を一層削減することができる。
【００６９】
上記各実施例１〜１０において、外郭２２は機器全体の側方と下部とを包括する部品として示したが、図１２に示すように鋼板等で側壁２２ａを形成し、合成樹脂等で底部材２２ｂを形成するようにしてもよい。この場合、側壁２２ａ下部と底部材２２ｂに対向して切り欠き部を設け、この切り欠き部間で給電部１３を挟持するようにしている。
【００７０】
さらに、図１４に示すように鋼板等で側壁２２ａを形成し、合成樹脂等で底部材２２ｂを形成し、底部材２２ｂには貫通穴を形成してここに給電部１３を外方に開放させるようにしても良い。
【００７１】
【発明の効果】
以上のように本発明の電気湯沸かし器は、液体を収容する容器と、容器底部に備えられ機能部品および電子部品を取り付けた固定板と、固定板に取付けられて機能部品および電子部品と結線された、吸着板と電極を有する給電部と、前記容器を内蔵する外郭と、前記給電部に給電するマグネット着脱式プラグとを備えたことにより、外郭を組み付ける前に、各機能部品、電子部品および給電部の結線は完了することができるので、外郭を組み付けの作業性がよいものである。
【図面の簡単な説明】
【図１】  本発明の実施例１を示す電気湯沸かし器の破断面図
【図２】  同電気湯沸かし器の内部構成を示す分解斜視図
【図３】  同電気湯沸かし器の給電部の分斜視図
【図４】  本発明の実施例２を示す電気湯沸かし器の給電部の分斜視図
【図５】  本発明の実施例３を示す電気湯沸かし器の給電部の分斜視図
【図６】  本発明の実施例４を示す電気湯沸かし器の給電部の分斜視図
【図７】  本発明の実施例５を示す電気湯沸かし器の給電部の分斜視図
【図８】  本発明の実施例６を示す電気湯沸かし器の給電部の分斜視図
【図９】  本発明の実施例７を示す電気湯沸かし器の給電部の分斜視図
【図１０】  本発明の実施例８を示す電気湯沸かし器の給電部の分斜視図
【図１１】  本発明の実施例９を示す電気湯沸かし器の給電部の分斜視図
【図１２】  本発明の実施例１０を示す電気湯沸かし器の給電部の分斜視図
【図１３】  本発明の実施例１〜１０における他の外郭構成を示す電気湯沸かし器の斜視図
【図１４】  図１３とは異なるさらに他の外郭構成を示す電気湯沸かし器の斜視図
【図１５】  従来の電気湯沸かし器の内部構成を示す分解斜視図
【図１６】  同従来の電気湯沸かし器における給電部の断面図
【符号の説明】
１  容器
２  固定板
９  電線
１０  マグネット吸着式プラグ
１３  給電部
１４、３６、４３、５０、５５、６１、６８、７５  絶縁部
１５、３７、４４、５１、５６、６２、６９、７６  電極
１６、３８、４５、５２、５７、６３、７０  吸着板
１７、４１、４７  係止部
２０  止め穴
２２  外郭
３９  突起部
４０、４８  固定穴
５３  収納部
５４  止めリブ
５８  摺動部
５９、８２  溝部
６０、６７、７４、７９、８５  止めリブ
６４、７１、７８、８４、８７  スライド部
６５、７２、  スライド溝
７７、８３  係合部
８６  取付金具
【図１】
0003636166.tif 000002
【図２】
0003636166.tif 000003
【図３】
0003636166.tif 000004
【図４】
0003636166.tif 000005
【図５】
0003636166.tif 000006
【図６】
0003636166.tif 000007
【図７】
0003636166.tif 000008
【図８】
0003636166.tif 000009
【図９】
0003636166.tif 000010
【図１０】
0003636166.tif 000011
【図１１】
0003636166.tif 000012
【図１２】
0003636166.tif 000013
【図１３】
0003636166.tif 000014
【図１４】
0003636166.tif 000015
【図１５】
0003636166.tif 000016
【図１６】
0003636166.tif 000017